Podtech/llm-jp-corpus-v4-ja_patent huggingface dataset:
(57)【要約】【課題】  全光時のステップアップトランス２の損失を軽減する。【解決手段】  ステップアップトランス２と調光用インピーダンス３を全光時インピーダンス１と放電灯４の間に配置し、全光時はステップアップトランス２の昇圧部分と調光用インピーダンス３を迂回して放電灯４の全光時電流が流れるようにする。【選択図】    図１
2006134845.tif 000002
【特許請求の範囲】
【請求項１】
ステップアップトランスと調光用インピーダンスを全光時インピーダンスと放電灯の間に配置し、全光時はステップアップトランスの昇圧部分と調光用インピーダンスを迂回して放電灯の全光時電流が流れるようにしたことを特徴とする放電灯用段調光安定器。
【請求項２】
上記調光用インピーダンスを複数設け、これらの調光用インピーダンスを切り替え又は組合せを変えて調光の程度を複数段階にしたことを特徴とする、上記請求項１の放電灯用段調光安定器。
【請求項３】
全光状態と調光状態の切り替えを安定器に内蔵したタイマーにより行うことを特徴とする上記請求項１の放電灯用段調光安定器。
【発明の詳細な説明】
【技術分野】
【０００１】  本発明は、交流電源で放電灯を点灯する安定器において、段調光の機能を有する放電灯用安定器に関するものである。
【背景技術】
【０００２】  図４は段調光の機能を有するごく普通の放電灯用段調光安定器である。ステップアップトランス２は調光時の放電灯の立消えを防ぐため２次電圧を上昇させるためのもので、全光時インピーダンス１と調光用インピーダンス３は直列に接続され、全光時はスイッチ５を閉路として放電灯４の出力を全光とし、また調光時はスイッチ５を開路としてインピーダンスを大きくし放電灯の出力を減じて調光するものである。なお６は交流電源である。【０００３】  上記回路において、全光時にステップアップトランス２の昇圧部分２ａに放電灯４の全光時電流が流れ、またステップアップトランス２は常に交流電源６の電圧で励磁されるため、全光時のステップアップトランス２の損失が大きなものとなっている。
【発明の開示】
【発明が解決しようとする課題】
【０００４】  本発明の目的は、全光時のステップアップトランス２の損失を軽減することである。
【課題を解決するための手段】
【０００５】  本発明においては、ステップアップトランスと調光用インピーダンスを全光時インピーダンスと放電灯の間に配置し、全光時はステップアップトランスの昇圧部分と調光用インピーダンスを迂回して放電灯の全光時電流が流れるようにする。
【発明の効果】
【０００６】  本発明は、ステップアップトランスと調光用インピーダンスを全光時インピーダンスと放電灯の間に配置し、全光時はステップアップトランスの昇圧部分と調光用インピーダンスを迂回して放電灯の全光時電流が流れるようにしたことを主たる特徴事項とするものである。
これによれば、全光時のステップアップトランスの損失を軽減することができる。
【発明を実施するための最良の形態】
【０００７】  本発明の実施形態を図１を用いて説明する。
図１の本発明に係る放電灯用段調光安定器は、全光時インピーダンス１の出力側にステップアップトランス２を接続し、昇圧部分２ａの出力側に調光用インピーダンス３を接続してその出力側に放電灯４を接続し、昇圧部分２ａと調光用インピーダンス３の間にスイッチ５を接続する。
本回路において、調光時はスイッチ５を開路とすることによりステップアップトランス２により２次電圧を高くするとともに調光用インピーダンス３により放電灯４の出力を減じて調光状態となる。また全光時はスイッチ５を閉路とすることにより、ステップアップトランス２の昇圧部分２ａと調光用インピーダンス３を迂回して放電灯４の全光時電流が流れる。【０００８】  これにより、全光時にステップアップトランス２の昇圧部分２ａに放電灯４の全光時電流が流れることがなく、またステップアップトランス２は交流電源６の電圧から全光時インピーダンス１の電圧降下分だけ低い電圧で励磁されるため、ステップアップトランス２の損失を減ずることができる。
なおスイッチ５は安定器に内蔵の操作スイッチ又は外部からの操作により作動するリレーなどのスイッチである。【０００９】  本発明の他の実施形態を図２を用いて説明する。図２の本発明に係る放電灯用段調光安定器は、調光用インピーダンス７と８を並列に設け、調光用インピーダンス８にはスイッチ９を直列に接続したものである。
本回路においてはスイッチ５を開路とすると調光状態になり、更にスイッチ９を閉路した調光状態とスイッチ９を開路した調光状態では調光の程度が異なるものである。
なお他は実施例１と同じ構成・機能である。【００１０】  本発明の更に他の実施形態を図３を用いて説明する。図３の本発明に係る放電灯用段調光安定器は、本安定器にタイマー１０を内蔵し、タイマー１０の電源は交流電源６とし、所定時間経過後にタイマー１０によりスイッチ５を開路とすることにより調光状態とするものである。
なお、新たにタイマーと本安定器の電源側にスイッチを追加し、所定時間後に放電灯の点灯に関わる部分の電源を開路し消灯することも可能である。またタイマーの電源を本安定器とは別の電源とすることができるのは言うまでもない。他は実施例１と同じ構成・機能である。
【図面の簡単な説明】
【００１１】
【図１】  本発明の回路図
【図２】  本発明に関わる他の回路図
【図３】  本発明に関わる更に他の回路図
【図４】  従来の回路図
【符号の説明】
１  ：  全光時インピーダンス
２  ：  ステップアップトランス
３，７，８：  調光用インピーダンス
４  ：  放電灯
５，９：  スイッチ
１０：  タイマー
【図１】
2006134845.tif 000003
【図２】
2006134845.tif 000004
【図３】
2006134845.tif 000005
【図４】
2006134845.tif 000006
(57)【要約】【課題】現在のタイマーでは、一度設定するとＯＦＦの時間帯において電源を送ることは出来ない。設定状態のままで電源を送るためには、タイマー出力コンセントから、差込端子を外し、他の電源コンセントに差し込まなければならない。【解決手段】タイマー本体の出力、タイマー出力コンセント及び＋電源入力端子と２点ＯＮスイッチ本体間にケーブルで接続することである。【選択図】図１
2006134850.tif 000002
【特許請求の範囲】
【請求項１】
タイマー回路に２点ＯＮスイッチ回路を接続することを特徴とするタイマースイッチ
【請求項２】
前記の２点ＯＮスイッチ回路は、タイマー回路にケーブルで接続する事により、遠隔操作が出来ることを特徴とする請求項１記載のタイマースイッチである。
【発明の詳細な説明】
【技術分野】
【０００１】  この発明は、電気回路に用いるタイマースイッチの回路に関する。
【背景技術】
【０００２】  従来の電気回路に用いるタイマーの回路は、図２に示すように、タイマー本体の出力が直接タイマー出力コンセントに接続されたものである。
【発明の開示】
【発明が解決しようとする課題】
【０００３】  しかしながら、以上の技術によれば、タイマーを設定するとＯＦＦの時間帯で、一時電源を送りたいときには、タイマーの出力コンセントから差込端子を外し、他の電源コンセントに接続する操作が必要である。そこで、この発明は、タイマーの出力コンセントから差込端子を外し、他の電源コンセントに差し込む操作の代わりにスイッチ切り替えの操作に変えることを提供する課題とする。
【課題を解決するための手段】
【０００４】  以上の課題を解決するために、第一発明は、タイマー本体の出力とタイマー出力コンセント及び＋電源入力端子の間に２点ＯＮスイッチ本体を接続する事を特徴とするタイマースイッチである。
また、第二発明は、タイマー回路と２点ＯＮスイッチ回路をケーブルで接続する事により遠距離より操作が出来ることを特徴とするタイマースイッチである。
【発明の効果】
【０００５】  第一発明、または第二発明によれば、タイマーを設定し、ＯＦＦの時間帯に電源を送りたいとき、タイマーの出力コンセントから、差込端子を外し、他の電源コンセントに差込む操作の代わりにスイッチ操作で、安全かつ簡単に操作が遠距離で出来る。
【発明を実施するための最良の形態】
【０００６】  この発明の一実施形態を、図１に示す。
タイマー本体の出力、タイマー出力コンセント及び入力＋電源端子間に、長いケーブルで２点ＯＮスイッチ本体が接続されいる。【０００７】「実施形態の効果」
この実施形態によれば、タイマー出力コンセントに送る出力をタイマー本体からの出力と入力電源からの出力を２点ＯＮスイッチを操作する事により切り替えることが出来る。したがって、タイマー本体の出力がＯＦＦの時間帯でもタイマー出力コンセントに電源を送ることが出来る。【０００８】「他の実施形態」
図１の実施形態では、ケーブルでタイマー回路と２点ＯＮスイッチ回路を接続し、手動で切り替え操作をしているが、タイマー回路内に２点ＯＮスイッチと受信機を取り付けワイヤレス操作で切り替えるようにしてもよい。
【図面の簡単な説明】
【０００９】
【図１】この発明の一実施形態を示す配線図である。
【図２】従来技術を示す配線図である。
【符号の説明】
【００１０】  １  タイマー回路                    ２  タイマー本体
３  タイマー出力コンセント          ４  入力電源端子
５  モーター用＋電源配線            ６  モーター用−電源配線
７  −電源配線                      ８  タイマーの＋電源配線
９  タイマー出力配線              １０  ２点ＯＮスイッチ本体の＋電源配線
１１  共通配線                      １２  ２点ＯＮスイッチ回路
１３  ２点ＯＮスイッチ本体
【図１】
2006134850.tif 000003
【図２】
2006134850.tif 000004
(57)【要約】【課題】  コンセントライトの照射方向を下向きのみでなく、上向きにした場合でも内蔵の明るさセンサーを、外光が入る最適な方向に向けられるようにし、明るさセンサーによる点滅が最適な状態で行えるようにする。【解決手段】  光源６を内蔵する灯器本体１を備え、前記灯器本体１の下端部上端部のいずれか一方に前記光源６の光を外部へ出す光投射部１０を設け、前記灯器本体１の背面側にコンセントへ着脱自在に装着する接続栓８を設け、前記灯器本体１の正面側に斜め上向きに入る外光を検知し前記光源６の点滅を制御する明るさセンサー４を設け、前記明るさセンサー４を前記灯器本体１に対して回転可能に枢着し、前記灯器本体１の姿勢が上下に反転した場合であっても前記枢着により前記明るさセンサー４のセンシング中心線を斜め上向きに調整可能とする。【選択図】    図１
2006134848.tif 000002
【特許請求の範囲】
【請求項１】
光源を内蔵する灯器本体を備え、前記灯器本体の下端部上端部のいずれか一方に前記光源の光を外部へ出す光投射部を設け、前記灯器本体の背面側にコンセントへ着脱自在に装着する接続栓を設け、前記灯器本体の正面側に斜め上向きに入る外光を検知し前記光源の点滅を制御する明るさセンサーを設け、前記明るさセンサーを前記灯器本体に対して回転可能に枢着し、前記灯器本体の姿勢が上下に反転した場合であっても前記枢着により前記明るさセンサーのセンシング中心線を斜め上向きに調整可能としたことを特徴とするコンセントライト。
【発明の詳細な説明】
【技術分野】
【０００１】  本発明は住宅用のコンセントから給電を受け、廊下や階段などで周囲が暗くなると点灯し、明るくなると消灯する明るさセンサーを内蔵し、足元灯として、コンセントに差し込んで使用する足元灯や停電灯の機能をもつコンセントライトに関する。
【背景技術】
【０００２】  従来一般のコンセントライトに内蔵されている明るさセンサーは、コンセント用の差込プラグが取り付いている側と反対側向きに固定されているのが一般的である。
【発明の開示】
【発明が解決しようとする課題】
【０００３】
【０００４】  本発明の目的は、コンセントライトの照射方向を下向きのみでなく、上向きにした場合でも内蔵の明るさセンサーを、外光が入る最適な方向に向けられるようにし、明るさセンサーによる点滅が最適な状態で行えるようにするためである。
【課題を解決するための手段】
【０００５】  本発明においては、器体内に内蔵した明るさセンサー部を回転式構造とし、コンセントに取り付ける際に照射方向を下向きまたは上向きに取り付けても、明るさセンサーを外光入射方向に対し最適な方向に向けることができるようにしたものである。
【発明の効果】
【０００６】  本発明によれば、コンセントライトを上向き照射方向または、下向き照射方向のどちら向きにコンセントに設置した場合でも、明るさセンサーの向きを回転し、外光が差し込む最適な方向に向けられるので、コンセントの位置や外光が入る窓の位置を気にせず、コンセントライトを設置できる効果がある。
【発明を実施するための最良の形態】
【０００７】  本発明の実施形態を図１、図２を用いて説明する。図１は本発明に係る明るさセンサー１１つきコンセントライトの外観斜視図で、図２は図１の側面図である。灯器本体１の上面側はいわゆる懐中電灯の機能を持つフラッシュライトで、豆電球（光源）を使用したランプＡ６と、鏡面めっきを施した反射笠５及びランプ６の保護を兼ねたレンズパネル（光投射部）１０で構成している。
本体１の下面側は常夜灯の機能を持つもので、豆電球を使用したランプＢ７と、常夜灯カバー２で構成される。
明るさセンサー１１は、透光性のある回転カバー３の中に収納され、回転カバー３の中心軸に対し約３０度傾斜し固定されている。回転カバー３はその中心軸に対し、約３６０度回転可能な構造となっており、これにより傾斜して取り付けられた明るさセンサー１１は、コンセントライトをコンセントに設置した際、明るさセンサー１１を窓の方向に向けやすくして最適な条件を得られるようにしている。なお、回転カバー３の明るさセンサー１１付近には、より透光性の良い材料でできた明るさセンサーカバー４をはめこみ、弱い外光でも感知しやすい構造としている。
プラグ（接続栓）８はプラグ支持体８１と、それを回転できるようにしたプラグ軸８２により９０度回転できるようにしてあり、コンセントライトをコンセントから抜いてフラッシュライトとして使用する場合には、プラグ８が本体１の中に収納できる構造としている。【０００８】  その他、本体１の側面には点灯機能切替え用の切替えスイッチ９を設け、明るさセンサーつき常夜灯＋停電時のフラッシュライト点灯の用途に、あるいはコンセントからはずして手持ちのフラッシュライトの用途に適宜に切替えて使用できるようにしている。
また、本体１の内部には充電池を内蔵しており、コンセント差込み時は常時充電をするものである。
このような機能のコンセントライトを、例えば廊下壁面下方にあるコンセントに差込み使用する場合、常夜灯を下向きにする場合と、逆に上向きにして設置する場合があるが、いずれの場合でも明るさセンサー１１を収納している回転カバー３を回転することにより、廊下の窓から入る光の方向に明るさセンサー１１を向けることができ、明るさセンサー１１を、設置した場所での最適な条件で使用することができる。
つまり、一般的な住宅においては、廊下や階段の場所は窓が小さく、数も少ないことから日中でもさほど明るくない場合が多く、また、コンセントの位置が窓の位置より下にある場合がほとんどであり、窓からの外光は斜め上向きに入ってくる。従って明るさセンサー１１が固定式で向きを調節できない場合は、窓の方向に向けることができず適当な明るさを得ることができないことから、日中でも常夜灯が点灯する場合もある。
本実施例によれば、コンセントライトを上向きあるいは上下反転して取り付けた場合であっても、明るさセンサーを光が入る方向に調節することができ、最適な条件で使用することができる。
【図面の簡単な説明】
【０００９】
【図１】  本発明のコンセントライトの斜視図である。
【図２】  図１の側面図である。
【符号の説明】
【００１０】１：本体
２：常夜灯カバー
３：回転カバー
４：明るさセンサーカバー
５：反射笠
６、７：光源
８：接続栓（プラグ）
１０：レンズパネル
【図１】
2006134848.tif 000003
【図２】
2006134848.tif 000004
(57)【要約】【課題】  主照明である放電灯３の寿命末期などの異常時には、安全性確保のため当該放電灯３を消灯すると同時に、併設した補助灯５を強制的に点灯することにより、自動的に最低限の明るさを確保できる点灯装置を提供する。【解決手段】  商用電源１を備える。放電灯３を備える。前記放電灯３よりも光出力が小さな補助灯５を備える。前記商用電源１にて付勢され前記放電灯３を点灯する主点灯回路４を備える。前記放電灯３の寿命を検知する寿命検知回路４２を備える。前記寿命検知回路４２の寿命時信号を受けて前記放電灯３を消灯する強制消灯手段４１１を備える。前記商用電源１にて付勢され前記寿命時に前記補助灯５を点灯する強制点灯手段６１を備える。【選択図】  図１
2006134844.tif 000002
【特許請求の範囲】
【請求項１】
商用電源を備え、放電灯を備え、前記放電灯よりも光出力が小さな補助灯を備え、前記商用電源にて付勢され前記放電灯を点灯する主点灯回路を備え、前記放電灯の寿命を検知する寿命検知回路を備え、前記寿命検知回路の寿命時信号を受けて前記放電灯を消灯する強制消灯手段を備え、前記商用電源にて付勢され前記寿命時に前記補助灯を点灯する強制点灯手段を備えたことを特徴とする放電灯点灯装置。
【発明の詳細な説明】
【技術分野】
【０００１】  本発明は、主光源である放電灯の寿命末期などの異常を検知する信号により当該放電灯を強制消灯すると同時に、前記信号により光出力の小さい補助灯を強制点灯する放電灯点灯装置に関する。
【背景技術】
【０００２】  図２は汎用の従来装置である。図２装置は、放電灯３の管電圧検知回路４２１、フィラメント断線検知回路４２２及び無負荷検知回路４２３からなる異常検知回路４２を備え、放電灯３の寿命末期に正常放電が出来ない場合や接続不良などの異常時には、点灯装置の異常動作による破損、過熱による発煙・発火、ユーザーのやけど・感電などの事故防止のため、前記異常検知回路の出力信号ａ部をＨＩとし、主点灯回路４を構成するインバータのドライブ回路４１の強制消灯端子４１１に入力し、発振を停止する従来の放電灯点灯装置である。【０００３】  前記従来装置は、放電灯の寿命末期などの異常時には発振を停止してしまうため、一般的な住宅など照明器具が１部屋１台である場合、突然照明が消灯してしまい、ユーザーが不安感、不快感を覚える場合がある。また、保安球などの補助灯に切替えようとしても、引き紐やリモコンの位置がわからずに、切替えに戸惑う場合がある。
【発明の開示】
【発明が解決しようとする課題】
【０００４】  本発明の目的は、主照明である放電灯の寿命末期などの異常時には、安全性確保のため当該放電灯を消灯すると同時に、併設した補助灯を強制的に点灯することにより、自動的に最低限の明るさを確保できる点灯装置を提供することにある。
【課題を解決するための手段】
【０００５】  本発明においては、放電灯と、強制消灯機能を有する前記放電灯用主点灯回路と、前記放電灯よりも光出力が小さな補助灯と、強制点灯機能を有する前記補助灯用点灯回路を備える。また、前記放電灯の寿命末期などの異常時に信号を発生する異常検知回路を備え、当該異常検知回路の出力信号により放電灯用点灯回路と前記補助灯用点灯回路を制御するように接続する。
【発明の効果】
【０００６】  本発明は、放電灯の寿命末期などの異常時には、異常検知回路の出力信号により、放電灯を強制的に消灯して安全性を確保すると同時に、補助灯を強制的に点灯することにより、自動的に光源を確保することができる。
【発明を実施するための最良の形態】
【０００７】  本発明の実施形態を、図１を用いて説明する。図１の本発明に係る放電灯点灯装置は、商用電源１を備える。前記商用電源１に接続される整流・昇圧・平滑回路２を備える。放電灯３を備える。当該放電灯３を点灯する主点灯回路４を備える。前記主点灯回路４には、外部信号により強制消灯できる強制消灯端子４１１を有するドライブ回路４１と、異常検知回路４２を備える。前記放電灯３よりも光出力が小さな補助灯５を備える。当該補助灯５を点灯し、外部信号により強制点灯できる強制点灯端子６１を有する補助点灯回路６を備える。なお、本実施例の説明においては、異常検知回路４２に放電灯３の管電圧検知回路４２１を含む場合について説明する。【０００８】  本点灯装置において、商用電源１から整流・昇圧・平滑回路２を介して付勢された主点灯回路４により放電灯３は点灯されるが、前記放電灯３が正常状態の場合、管電圧は正常値となるので管電圧検知回路４２１の電圧は閾値未満であり、出力信号ａ部はＬＯになって主点灯回路４は点灯を維持する。放電灯３が寿命末期となると、管電圧が上昇し、管電圧検知回路４２１の電圧は寿命判定の閾値を超え、出力信号ａ部はＨＩとなり、当該信号はドライブ回路４１の強制消灯端子４１１と補助点灯回路６の強制点灯端子６１に入力されるため、主点灯回路４は停止し、放電灯３が消灯するとともに、補助点灯回路６が動作し、補助灯５は点灯する。このため、本放電灯点灯装置により、自動的に補助灯の出力に準じた明るさの確保が可能となる。【０００９】  なお、本発明における補助灯５を独自に設けても問題ないが、一般的な住宅用照明器具に使用されている保安球の兼用に支障がないことは言うまでもなく、特にリモコン式の従来回路には、当初から保安球点灯回路が設けられているので、当該回路を補助点灯回路６として流用すれば、容易に本発明の放電灯点灯装置を構成することができる。
【図面の簡単な説明】
【００１０】
【００１１】
【図１】  本発明装置の回路図である。
【図２】  従来装置の回路図である。
【符号の説明】
【００１２】１：直流電源
２：整流・平滑回路
３：放電灯
４：主点灯回路
４１：ドライブ回路
４１１：強制消灯端子
４２：異常検知回路
４２１：管電圧検知回路
４２２：フィラメント断線検知回路
４２３：無負荷検知回路
５：補助灯
６：補助点灯回路
６１：強制点灯端子
【図１】
2006134844.tif 000003
【図２】
2006134844.tif 000004
(57)【要約】【課題】  ４個以上のランプソケット１０を有する直管形蛍光灯器具においてランプソケット１０の誤配置を防止する。【解決手段】  光源２０を含むスタンド頭部２０を備え、机上面等に載置する板状のスタンドベース３０を備え、前記スタンド頭部２０・前記スタンドベース３０間に介在し前記スタンド頭部２０を上下させる伸縮自在なパンタグラフ状のスタンド支柱４０を備え、前記スタンドベース３０の上面に収納凹部３１を形成し、前記収納凹部３１は前記スタンド支柱４０を縮めた状態で前記スタンド頭部２０・前記スタンド支柱４０を収納するものであり、前記収納凹部３１の形状を前記収納時における前記スタンド頭部２０・前記スタンド支柱４０が前記スタンドベース３０の前記上面よりも上側へ突出しないように定める。【選択図】    図１
2006134847.tif 000002
【特許請求の範囲】
【請求項１】
光源を含むスタンド頭部を備え、机上面等に載置する板状のスタンドベースを備え、前記スタンド頭部・前記スタンドベース間に介在し前記スタンド頭部を上下させる伸縮自在なパンタグラフ状のスタンド支柱を備え、前記スタンドベースの上面に収納凹部を形成し、前記収納凹部は前記スタンド支柱を縮めた状態で前記スタンド頭部・前記スタンド支柱を収納するものであり、前記収納凹部の形状を前記収納時における前記スタンド頭部・前記スタンドが前記スタンドベースの前記上面よりも上側へ突出しないように定めたことを特徴とする電気スタンド。
【発明の詳細な説明】
【技術分野】
【０００１】  本発明は電気スタンドにおける光源を含む灯体をスタンド本体に収納する仕組みに関する。
【背景技術】
【０００２】  従来一般の電気スタンドは光源を含む灯体部分が自由に可動し机上面を照らす様自由に動く支柱でスタンド本体とつながっていた。
【発明の開示】
【発明が解決しようとする課題】
【０００３】  従来の電気スタンドは使用しているときは机上にあっても邪魔にはならないが、使用しないときは収納しにくい形状なので机上面の場所を取ってしまう。本発明の目的はスタンド自体を簡単に収納や梱包が出来るようコンパクト化することにある。
【課題を解決するための手段】
【０００４】  本発明においては、光源を含むスタンド頭部を備え、机上面等に載置する板状のスタンドベースを備え、前記スタンド頭部・前記スタンドベース間に介在し前記スタンド頭部を上下させる伸縮自在なパンタグラフ状のスタンド支柱を備え、前記スタンドベースの上面に収納凹部を形成し、前記収納凹部は前記スタンド支柱を縮めた状態で前記スタンド頭部・前記スタンド支柱を収納するものであり、前記収納凹部の形状を前記収納時における前記スタンド頭部・前記スタンドが前記スタンドベースの前記上面内に収納されるのでコンパクトになる。
【発明の効果】
【０００５】  本発明は、光源を含む灯体がスタンドのベースとなる本体に収納されてしまうのでコンパクトになり、本棚等や引出し等に収納出来たりと置き場に困らない。またコンパクトでブック形である事から梱包もシンプルになるので梱包費削減の効果がある。
【発明を実施するための最良の形態】
【０００６】  本発明の実施形態を図１・図２より説明する。スタンド頭部１０はＬＥＤのような光源２０を下面に備え、内部に電源となる電池６０を備え、前記スタンド頭部１０内部より伸縮自在なパンタグラフ状の支柱４０が常に伸びた状態になる様に片側を上下のみ動作する固定部４１と、反対側にスライドしながら上下するＴ字形シャフト７０を備え、前記Ｔ字形シャフト７０は前記支柱４０の動きで前記電池６０を接触片６１より着けたり離したりしてスイッチの役割を果たし、なおかつバネ７２により前記支柱４０の先端部４２を押して前記支柱４０を伸ばそうと動作する。前記支柱４０は板状のスタンドベース３０とつながっており、前記スタンド頭部１０側と同じように片側を上下動作のみの固定部４３として反対側にスライドするＴ字形スライドシャフト７１としている。前記Ｔ字形スライドシャフト７１は前記スタンド頭部１０側と同じようにバネ７３で前記Ｔ字形スライドシャフト７１の前記スタンドベース３０側の先端部４４を押し、前記支柱４０を伸ばそうと動作している。前記スタンドベース３０には前記支柱４０が伸びようとして前記スタンド頭部１０を押し上げるのを固定しておく為の溝１１があり、前記スタンドベース３０の収納凹部３１の内側に爪５１がバネ５２により押し出され溝１１に引っかかる。
図２より、スタンドベース３０の表面より操作出来るボタン５０を押すと前記スタンド頭体１０の溝１１から前記スタンドベース３０の内側に出ている前記爪５１が外れ前記支柱４０が伸びてスタンド頭部１０がスタンドベース３０の収納凹部３１から出てきてＬＥＤ光源２０が点灯する。これらのことからコンパクト化でき収納性に優れた効果がある。
【図面の簡単な説明】
【０００７】
【図１】本発明に係る電気スタンドの側面からの断面図
【図２】同スタンドの使用状態の動作説明図
【符号の説明】
１０：スタンド頭部
１１：溝
２０：光源
３０：スタンドベース
３１：収納凹部
４０：支柱
４１：固定部
４２：先端部
４３：固定部
４４：先端部
５０：ボタン
５１：爪
５２：バネ
６０：電池
６１：接触片
７０：Ｔ字形スライドシャフト
７１：Ｔ字形スライドシャフト
７２：バネ
７３：バネ
【図１】
2006134847.tif 000003
【図２】
2006134847.tif 000004
(57)【要約】【課題】  ブートプログラムがない場合または不正な場合にブートプログラムをインスツールすることができるファームウェア組込装置を提供する。【解決手段】  ブートするときにフラッシュメモリ１３にプログラム１５が無い、または不正と認識するブート情報１４を判断することにより、フラッシュメモリ１３のフォーマット及び着脱可能なメモリカード１７にあるプログラムファイル１９をインスツールする。【選択図】      図１
2006134016.tif 000002
【特許請求の範囲】
【請求項１】
書き換え可能なプログラムを記憶したメモリおよび記憶媒体とブート時にこのプログラムをＲＡＭ上に展開する制御手段と取り外し可能な記憶媒体を備えたファームウェア組込み機器において、ＲＯＭに記憶したプログラムが前期プログラムをＲＡＭ上に展開する前に異常を判断し、異常の場合に前期プログラムが記憶されているメモリおよび記憶媒体をフォーマットし前期取り外し可能な記憶媒体に記憶されたプログラムをインスツールするファームウェア組込み機器。
【発明の詳細な説明】
【技術分野】
【０００１】
本発明は、コンピュータの起動時に実行されるブートプログラムに関する。
【背景技術】
【０００２】
従来、ファームウェアのブートプログラムは、マスクＲＯＭやＥＰＲＯＭなどの、コンピュータに取り付けた状態では書き換えのできないメモリが用いられてきた。しかしファームウェアが複雑する中で、ブートプログラムの書き換えが可能なフラッシュメモリ等に格納し、ブート時にこのプログラムをRAM上に展開する方法も行われている。
この方法でプログラムの更新は可能になったが、更新中の制御停止などにより更新の失敗の危険性が発生し、その結果、機器が動作不能になることがある。また、ブートプログラムを格納するフラッシュメモリ等を使用する前に別の機器で前もってブートプログラムを書き込む等の作業がおこなわれる。
【発明の開示】
【発明が解決しようとする課題】
【０００３】
ブートプログラムの更新に失敗した時にファームウェア組込み機器が動作不能に陥ってしまう問題と、ブートプログラムを格納するフラッシュメモリ等を使用する前に別の機器で前もってブートプログラムを書き込む等の作業が発生している問題。
【課題を解決するための手段】
【０００４】
本発明はブートプログラムを２段階に分けて実行する。最初に実行するプログラムは
ＲＯＭに書き込んでおき、第２段階目のプログラムは書き換え可能なメモリおよび記憶媒体に書き込んでおく。
【０００５】
コンピュータが起動すると、ＲＯＭに書き込まれてプログラムが動作し、２段階目に実行されるプログラムが正常に存在しているかを判定する。判定方法として２段階目に実行されるプログラムが格納されている書き換え可能なメモリおよび記憶媒体の予め約束されている番地に約束した数値が書き込まれているかどうかで判定する。
【０００６】
正常に存在している場合は、このプログラムをＲＡＭ上に展開し実行する。
【０００７】
正常に書き込まれていない場合は、この書き換え可能なメモリおよび記憶媒体のフォーマットが行われていなければフォーマットを行う。フォーマットに失敗した場合は、失敗した通知を行って処理を停止する。
【０００８】
フォーマットしない時、またはフォーマットに成功したら別の取り外し可能な記憶媒体の情報を取得する。記憶媒体が認識できない、または第２段階目のプログラムが存在していない場合は、認識できるまで情報の取得動作を継続する。
【０００９】
第２段階目のプログラムが存在していたら、このプログラムを本来存在しているべき書き換え可能なメモリおよび記憶媒体へコピーを行い、コピー実施中の通知を行う。
【００１０】
コピーが成功したら予め約束している番地に約束した数値を書き込み、成功したことを通知する。このあとは第２段階目に実行されるプログラムは正常であるので、このプログラムをＲＡＭ上に展開し実行する。
【００１１】
コピーが失敗したら、失敗した通知を行って処理を停止する。
【発明の効果】
【００１２】
本発明によれば、第１段階のプログラムをＲＯＭに書き込むことにより、誤った書き換えの危険性がなくなることで安全性が保たれ、機能を限定することによってコンパクトなサイズの容量で納まる。第2段階のプログラムは、書き換え可能なメモリおよび記憶媒体に存在しているため、プログラムの更新が容易に可能である。
また、第２段階のプログラムが無い状態でも、取り外し可能な記憶媒体からコピーされるので、最初の１回のブートプログラムを格納するための作業が不要になる。
【発明を実施するための最良の形態】
【００１３】
図１はこの発明の実施形態であるファームウェア組込機器のブロック図である。以下、この図面に基づき説明する。後述のコントローラは、たとえばマイクロコンピュータ（以下、マイコン）で構成される。
【００１４】
図１において、コントローラ１０には、ＲＯＭ（マスクＲＯＭ）１１、ＲＡＭ１２、フラッシュメモリ１３、取り外し可能なメモリカード１７、入出力制御部１８などが接続されている。コントローラ１０がマイコンで構成される場合、ＲＡＭ１２はマイコンに内蔵のＲＡＭであってもよい。
【００１５】
ＲＯＭ１１にはロードプログラムである第１段階目に実行されるブートプログラムが記憶されている。このブートプログラムは最初にブート情報１４を確認し正常にプログラムが書き込まれているか判定する。正常な場合はプログラムをＲＡＭに展開する。その後でこの展開されたプログラムが実行される。
【００１６】
ブート情報１４が正常でない場合は、このフラッシュメモリがフォーマットされているか確認する、確認してフォーマットされていなければフォーマットを実行する。異常が発生した場合は、入出力制御部１８にフォーマット異常を通知する。
【００１７】
異常が発生しない場合は、メモリカード１７にプログラム１５に格納する予め名前を決めておいたプログラムファイル１９が存在するか確認する。メモリカード１７が無い場合、またはプログラムファイル１９が無い場合は、ファイルが発見できないことを入出力制御部１８に通知してプログラムファイル１９が挿入されるまで待つ。
【００１８】
プログラムファイル１９が確認されたらこのファイルをフラッシュメモリ１３のプログラム１５にコピーする。正常にコピーが終了したらブート情報を正常に書き換え、入出力制御部１８に正常を通知する。異常の場合は、コピーエラーを入出力制御部１８に通知する。
【００１９】
コピーされたプログラム１５をＲＡＭに展開して、展開されたプログラムを実行する。
【図面の簡単な説明】
【００２０】
【図１】本発明に係るブートプログラムの実施形態を示すブロック図である。
【符号の説明】
【００２１】
１０  コントローラ
１１  マスク内蔵ＲＯＭ
１２  ＲＡＭ（コントローラ内蔵でもよい）
１３  フラッシュメモリ
１４  フラッシュメモリに書き込まれているブート情報
１５  フラッシュメモリに書き込まれているプログラム
１６  フラッシュメモリに格納する情報
１７  取り外し可能なメモリカード
１８  コントローラが制御する入出力制御部
１９  取り外し可能なメモリカードに書き込まれているプログラムファイル
【図１】
2006134016.tif 000003
(57)【要約】【課題】  ハードディスク装置を高速化するには複数のハードディスク装置とＲＡＩＤ装置のストライピング機能を使用してデータを分割して複数のハードディスク装置に記憶することで高速化していたが装置が大きくなってしまう。【解決手段】  １台のハードディスク装置の複数の磁気記憶面に分割して記憶することで高速する。【選択図】図１
2006134546.tif 000002
【特許請求の範囲】
【請求項１】
データを一台のハードディスク装置の複数の磁気記憶面に分割して記憶することを特徴とするハードディスク装置。
【発明の詳細な説明】
【技術分野】
【０００１】  この発明は、ディスクアクセスの高速化に関する。
【背景技術】
【０００２】  従来、ハードディスク装置でデータ転送を高速化する手段に図２で示すように、１つのデータを２つ以上のハードディスクに分割して記憶することでデータ転送を高速化していた。
【発明の開示】
【発明が解決しようとする課題】
【０００３】  しかしながら、以上の技術によれば、ハードディスク装置が２台以上必要であり、装置が大きくなってしまう。
そこで、この発明は、１台のハードディスク装置でデータ転送の高速化を提供することを課題とする。
【課題を解決するための手段】
【０００４】  以上の課題を解決するために、第一発明は、データを１台のハードディスク装置の複数の磁気記憶面に分割して記憶することを特徴とするハードディスク装置である。
【発明の効果】
【０００５】  一台で、データ転送の高速化を実現できるハードディスク装置を提供する。
【発明を実施するための最良の形態】
【０００６】  この発明の一実施形態を、図１に示す。
ハードディスク装置に送られてきたデータを制御部で磁気記憶面数に分割して記憶する
【図面の簡単な説明】
【０００７】
【図１】この発明の一実施形態を示す図である。
【図２】従来技術を示す図である。
【図１】
2006134546.tif 000003
【図２】
2006134546.tif 000004
(57)【要約】【課題】劣化した折板屋根を低コストで修復する。【解決手段】折板の継ぎ目５に沿った尾根に、略一定間隔で取付金具７を取り付け、この取付金具を介して長尺のカバープレート８を取り付ける。取付金具７は一枚の金属板を折板の尾根部に密着するように折り曲げたもので、両方の肩は外側にせり出してＶ字形の突出部７ａを形成している。カバープレート８も一枚の板を折り曲げて取付金具を包み込むような形にしたもので、Ｖ字形抱持部８ａを有しており、裾８ｂは折板１に沿うようになっている。カバープレートの中央部８ｃはアーチないしトンネル状断面になっていて、その中にボルト４または６が収まるようになっている。このカバープレート８を口を押し広げるようにして取付金具７に被せると、Ｖ字形抱持部８ａが取付金具のＶ字突出部７ａに嵌合して外れなくなる。【選択図】図２
2006299702.tif 000002
【特許請求の範囲】
【請求項１】
折板屋根の尾根に相互に間隔を置いて固定される取付金具と、これら取付金具を介して折板屋根の尾根に被せる長尺のカバープレートから成り、該取付金具は一枚の板を折り曲げて尾根に沿うように形成されたもので、両側に横断面で見たときＶ字形の突出部を有しており、他方、該カバープレートも一枚の板を折り曲げて形成されたもので、該取付金具の該Ｖ字形突出部に嵌合するＶ字形抱持部を有している折板屋根の修復金具。
【発明の詳細な説明】
【技術分野】
【０００１】
本発明は経年劣化した折板屋根の改修技術に関する。
【背景技術】
【０００２】
工場や倉庫等の屋根材として、Ｗ形（またはＶ型）断面の鋼製折板が広く用いられている。この種の折板屋根は、尾根部に折板の継ぎ目があって、この部分が痛んで雨漏りが生じやすい。このような折板屋根の改修方法として、痛んだ屋根はそのままにして、その上に新しく折板屋根を葺く方法が一般的であるが、この方法は使用する材料が多く、コストが高くつく。そこで、図４に示すように、尾根に沿ってカバープレート１８を被せてビス止めする方法も用いられているが、そのビス孔から新たな腐蝕が起こり、長持ちしない。
【発明の開示】
【発明が解決しようとする課題】
【０００３】
この発明は工事が簡単低廉で長持ちする、折板屋根の修復金具を提供することを課題とする。
【課題を解決するための手段】
【０００４】
この発明に係る折板屋根の修復金具は、折板屋根の尾根に相互に間隔を置いて固定される取付金具と、これら取付金具を介して折板屋根の尾根に被せる長尺のカバープレートから成る。取付金具は一枚の板を折り曲げて形成されたもので、横断面で見たときＶ字状の突出部を両側に有している。他方、カバープレートも一枚の板を折り曲げて形成されたもので、該取付金具の該Ｖ字形突出部に嵌合するＶ字形抱持部を有している。
【０００５】
使用するときは、まず折板屋根の尾根に取付金具をビス等で固定し、カバープレートの口を押し広げるようにして取付金具を挟み込むと、抱持部が取付金具のＶ字突出部に嵌合して固定される。こうして尾根に沿って取り付けられたカバープレートは、折板の継ぎ目（重ね合わせ部）をすっぽり覆って、雨漏りを防ぐことができる。このものでは使用する材料が少なく、工事も簡単であって、低コストで折板屋根の修復ができる効果がある。
【発明を実施するための最良の形態】
【０００６】
まず、図１を用いて既存の折板屋根について説明すると、建物には屋根を支える梁２が数メートル間隔で並んでおり、これらは梁の上に、Ｗ字形の鋼製折板１が、側縁同士を重ね合わせるようにして支持されている。梁２の上にはタイトフレーム３が載っており、折板１はこれらタイトフレームから上に延びる剣先ボルト４に貫かれ、ナット止めされている。使用する折板がＷ字形の場合はひと山置きに、（Ｖ字形の場合は各山に）折板の継ぎ目５ができる。これらの継ぎ目から雨漏りしないよう、数十センチ間隔に配置した緊締ボルト６で折板の重ね合わせ部分を締め付ける。
【０００７】
しかしこのような折板屋根では、年月が経つと、折板がボルト貫通部で腐蝕して雨漏りが生じ易い。痛んだ屋根を修復するために、この発明では、折板の継ぎ目５のある尾根に、略一定間隔で取付金具７を取り付け、この取付金具を介して長尺のカバープレート８を取り付ける。
【０００８】
取付金具７は図２に示すように、一枚の金属板を折板の尾根部に密着するように折り曲げたもので、両方の肩は外側にせり出してＶ字形の突出部７ａを形成しており、裾７ｂは折板の傾斜に沿う形状になっている。この取付金具７はタップねじ９で折板の山に固定する。
【０００９】
他方、カバープレート８も一枚の板を折り曲げて取付金具を包み込むような形にしたもので、取付金具のＶ字形突出部７ａに嵌合するＶ字形抱持部８ａを有しており、裾８ｂは折板１に沿うようになっている。カバープレートの中央部８ｃはアーチないしトンネル状断面になっていて、その中にボルト４または６が収まるようになっている。このカバープレート８は図２（Ｂ）に鎖線で示すように口を押し広げるようにして取付金具７に被せると、Ｖ字形抱持部８ａが取付金具のＶ字突出部７ａに嵌合して外れなくなる。カバープレートはタップねじ１０を用いて取付金具に固定する。カバープレート８の軒側端は図示しないメクラ板で塞ぎ、反対端は棟板で覆う。こうして、折板１の継ぎ目（重なり部分）はカバープレート８ですっかり覆われ、雨漏りを防止することができる。
【００１０】
図１に示すように、継ぎ目５のない尾根にも、剣先ボルト４が突き出ており、ここからも雨漏りの危険がある。しかしボルトの本数は少ないので、ここでは、図３に示すように、コーキング剤を詰めた防水キャップ１１をボルト４に被せるだけの工事で済ませている。もちろん、同じようにカバープレートを取り付けることもできる。
【図面の簡単な説明】
【００１１】
【図１】折板屋根の斜視図である。
【図２】修復金具の断面図であり、（Ａ）は組み立て状態、（Ｂ）は組み立て前の状態を示す。
【図３】防水キャップの説明図である。
【図４】従来の修復金具の断面図である。
【符号の説明】
【００１２】
１    折板
７    取付金具
７ａ  Ｖ字形突出部    
８    カバープレート
８ａ  Ｖ字形抱持部
【図１】
2006299702.tif 000003
【図２】
2006299702.tif 000004
【図３】
2006299702.tif 000005
【図４】
2006299702.tif 000006
(57)【要約】      （修正有）【課題】自動車の駆動力を利用し、自動車の大きさの最小の場所への駐車が出来る装置を提供する。【解決手段】自動車の駆動輪を乗せる回転ローラーにギアを設けてギアの組合せで回転を変換させて台車の駆動輪を回転させて、左右に移動させる台車で、台車の前と後ろを分割して接続部分で自動車のサイズに調節できる。【選択図】図１
2006299767.tif 000002
【特許請求の範囲】
【請求項１】
主軸回転ローラーと車止めローラーに自動車の駆動輪を乗せてローラーを回転させ主軸ローラーに付けたギアと中継ギアを介し回転を変換させ台車駆動輪に付けたギアに伝え回転させ左右に移動させる形式。
【請求項２】
台車の前と後を分割して接続部分に調節機能式で自動車サイズに調節する形式。
【請求項３】
台車の駆動輪の敷板にガイドレールとスライド式の台車止めガイドレールを付ける形式。
【発明の詳細な説明】
【発明の詳細な説明】
【０００１】［発明に属する技術分野］
この発明は他の動力を用いず自動車の駆動力だけの利用なので取り付けが簡単で最小の場所への移動駐車が出来る形式。
【０００２】［従来の方法］
自動車は前後斜めの移動なので駐車場所が前か後の多くの場所が必要。
【０００３】［発明が解決しようとする課題］
これまでの駐車の場所より少なく自動車の大きさの最小の場所への駐車が簡単に出来る事である。
【０００４】［課題を解決する為の手段］
駐車する時に狭い場所への駐車が大変な事でありました。この横動台車を使用すると、台車を比較的自動車の乗せ易い所に出せるので自動車の最小の場所に簡単に駐車が出来る。
【０００５】［発明の実施の形態］
図１の２のローラーに図２の１７のギアを取り付け図２の１６のギアを中継して図２の１９のギアに伝え台車駆動輪を回転させて、左右に移動させる形式。
【０００６】［発明の効果］
自動車の最小の場所への駐車が比較的簡単に出来る為に場所の有効利用が出来る。
【図面の簡単な説明】［図１］台車の全体図
［図２］回転変換のギアの組合せ
［図３］台車駆動輪のガイドレール敷板
【符号の説明】
１全体図                          １５中継ギア止め具
２回転ローラーギア取り付け位置    １６中継ギア１７のギアと直角組合せ
３車止めローラー                  １７ローラー取り付けギア
４車オーバー止め                  １８台車駆動輪取り付け具
５台車駆動輪                      １９台車駆動輪取り付けギア
６台車前部の車輪                  ２０内側台車止め
７前部と後部の接続部              ２１敷板止め穴
８台車後部                        ２２ガイドレール
９後部の車輪                      ２３台車駆動輪敷板
１０ローラーと台車ブレーキ        ２４スライド式ガイドレール
１１自走及び暴走止め              ２５スライドオーバー止め
１２ローラーに乗せる傾斜板        ２６スライド式の車止め
１３前部と後部の調節止ネジ穴      ２７スライド式レールの外出部の敷板
１４台車駆動輪シャフト
【図１】
2006299767.tif 000003
【図２】
2006299767.tif 000004
【図３】
2006299767.tif 000005
(57)【要約】【課題】  地震、台風などの災害で長期に渡り避難生活している光景をよく見る。何故かプライバシ−が守られてないため、疲れると良く聞くことがある。【解決手段】  地震、台風などの災害で長期に渡り避難生活している光景をよく見る。  プライバシ−が守られてないため、疲れると良く聞くことがある。そこで簡易間仕切パネルで家族単位程度で囲み目隠しすることでプライバシーが守れる。パネル式タイプのため広さを自由に変えることが出来、出入口開閉式にするため完全にプライバシーを守れる。また、プラスチック製で組み立て式のため室内等での取り扱いが容易である。【選択図】  図１
2006299764.tif 000002
【特許請求の範囲】
【請求項１】
プラスチック製のパネルを組み合し、任意の間仕切を可能にする。
【請求項２】
プラスチック製のパネルで組み合し、一部に開閉式ドアを取り付ける。
【請求項３】
プラスチック製のパネルを木目調のデザインにして、使用目的を広げる。
【発明の詳細な説明】
【技術分野】
【０００１】  本発明は、体育館などの避難所において、プライバシーを守るための簡易間仕切パネルとして用いる。【０００２】  また、デザインを木彫にすることで和室の大広間などにおいて、簡易間仕切に用いる。
【背景技術】
【０００３】  避難ヵ所に置いてプライバシ−が守れないのが現実である。
【発明の開示】
【発明が解決しようとする課題】
【０００４】  最近、地震、台風などの災害で長期に渡り避難している光景をよく見る。何故かプライバシ−が守られてないため、疲れると良く聞くことがある。
【発明の効果】
【０００５】    この発明により避難生活を行うとき、簡易仕切パネルを使うことで任意の広さに仕切ることできるため、プライバシ−が守られ少しでも気持ちが楽になる。【０００６】  本発明品はプラスチックパネルタイプのため自由の広さに組み立てられて家族単位の仕切にできる。【０００７】  プラスチック製で軽いため、運搬、組立等が容易である。【０００８】  また、製品を木目彫に加工することで、和風の大広間での仕切に日常的に使うことが出来る。
【発明を実施するための最良の形態】
【０００９】  図１は、簡易仕切パネル１型（標準タイプ）を斜視図を表したもので、プラスチック製のパネルをつなぎ合わせ任意の広さで区切っていく。【００１０】  また、出入り口には開け閉め出来る図２のようなタイプ２型、３型を付ける。
【産業上の利用可能性】
【００１１】  本発明にかかる簡易仕切パネルは工場生産出来ることから産業上の利用可能性を要する。
【図面の簡単な説明】
【００１３】
【図１】  簡易仕切パネル１型（標準タイプ）を斜視図を表したもの。
【図２】  簡易仕切ドアー２型を斜視図を表したものと、ドアー２型を取付る為のポール３型の斜視図を表したもの。
【図３】  簡易仕切パネル１型（標準タイプ）の側面図。
【図４】  簡易仕切ドアー２型と取付ポール３型の側面図である。
【図５】  簡易仕切パネル１型（標準タイプ）の左側面図である。
【図６】  簡易仕切パネル１型（標準タイプ）右側面図である。
【図７】  簡易仕切ドアー取付ポール３型の右側面図である。
【図８】  簡易仕切ドアー取付用ポール３型の左側面図である。
【図９】  簡易仕切ドアー２型の右側面図である。
【図１０】  簡易仕切ドアー２型の左側面図である。
【図１１】  簡易仕切パネル１型（標準タイプ）の平面図である。
【図１２】  簡易仕切パネル１型（標準タイプ）の底面図である
【図１３】  簡易仕切ドアー２型と取付ポール３型の平図面である。底面図は、ほぼ同じである。
【図１４】  簡易仕切パネル１型（標準タイプ）の断面図である。
【図１５】  簡易仕切ドアー２型と取付ポール３型の断面図である。
【図１６】  簡易仕切パネル１型（標準タイプ）と間仕切ドアー２型を並べた時の側面図である。
【図１７】  簡易仕切パネル１型（標準タイプ）、間切ドアー２型取付ポール３型を組合た見取り図である。
【符号の説明】
【００１８】  １  簡易仕切パネル１型（標準タイプ）。
２  仕切ドアー２型。
３  仕切ドアー取付ポール３型。
４  仕切パネル１型と仕切パネル１型、出入口取付ポールをつなぐ、継ぎ手箇所。
５  仕切パネル１型と仕切パネル１型をつなぐ、継ぎ手ヵ所。
６  出入口用仕切パネル２型の開閉止め。
７  仕切パネル１型の転倒防止。
８  仕切パネル１型の転倒防止。
９  出入口用仕切板２型の蝶番。
１０  出入口取付ポールの蝶番。
１１  仕切板１型と出入口取付ポールの継手ヵ所。
【図１】
2006299764.tif 000003
【図２】
2006299764.tif 000004
【図３】
2006299764.tif 000005
【図４】
2006299764.tif 000006
【図５】
2006299764.tif 000007
【図６】
2006299764.tif 000008
【図７】
2006299764.tif 000009
【図８】
2006299764.tif 000010
【図９】
2006299764.tif 000011
【図１０】
2006299764.tif 000012
【図１１】
2006299764.tif 000013
【図１２】
2006299764.tif 000014
【図１３】
2006299764.tif 000015
【図１４】
2006299764.tif 000016
【図１５】
2006299764.tif 000017
【図１６】
2006299764.tif 000018
【図１７】
2006299764.tif 000019